(57)【要約】【課題】光源体の温度上昇を防止することができ、かつ、製造コストが低いピックアップ装置を提供する。【解決手段】ピックアップベース５１に連通孔５５を設ける。連通孔５５の一方にレーザー光源体６１を配置する。連通孔５５の他方にグレーティング７１を配置する。連通孔５５に連通孔５５の内部とピックアップベース５１の外部とを連通する放熱路８１を設ける。レーザー光源体６１から発せられる熱が放熱路８１から放熱される。【選択図】　　　　　図３
2004133963.tif 000002
【特許請求の範囲】
【請求項１】
光学記録媒体に光束を照射する光源体と、
前記光源体から前記光学記録媒体へ向かう光学経路の途中に設けられた光学素子と、一方に前記光源体が配置され他方に前記光学素子が配置され前記光源体と前記光学素子とを連通する連通孔を有する筐体とを備えたピックアップ装置において、
前記連通孔は、前記光源体と前記光学素子との間の熱を外部に放熱する放熱手段を備えている
ことを特徴とするピックアップ装置。
【請求項２】
請求項１に記載のピックアップ装置において、
前記放熱手段は、前記連通孔の軸に交差して形成され前記連通孔の内部と前記連通孔の外部とを連通する孔状の放熱路である
ことを特徴とするピックアップ装置。
【請求項３】
請求項２に記載のピックアップ装置において、
前記放熱路は、互いの中心軸が略同一直線上である組を少なくとも１以上含んでいる
ことを特徴とするピックアップ装置。
【請求項４】
請求項１ないし３のいずれかに記載のピックアップ装置において、
前記放熱路は、前記光学記録媒体の回転面に向かって開口している
ことを特徴としたピックアップ装置。
【請求項５】
請求項４に記載のピックアップ装置において、
前記放熱路の前記光学記録媒体の回転面に向かって開口する開口部の縁には、前記光学記録媒体の回転によって生じる気流に対向する壁面を有する気流受け部材が設けられている
ことを特徴とするピックアップ装置。
【請求項６】
請求項２ないし５のいずれかに記載のピックアップ装置において、
前記放熱路は、前記連通孔の外部に向かって開口する外側開口部が当該ピックアップ装置の通常使用時において上方に向かって開口している
ことを特徴とするピックアップ装置。
【請求項７】
請求項２ないし５のいずれかに記載のピックアップ装置において、
前記放熱路は、前記連通孔の外部に向かって開口する外側開口部が当該ピックアップの通常使用時において下方に向かって開口している
ことを特徴とするピックアップ装置。
【請求項８】
請求項２ないし７のいずれかに記載のピックアップ装置において、
前記放熱路は、外部からこの放熱路を通って前記連通孔内に塵埃が流入することを防ぐ防塵手段を備えている
ことを特徴とするピックアップ装置。
【請求項９】
請求項８に記載にピックアップ装置において、
前記防塵手段は、前記連通孔の外部に向かって開口する前記放熱路の外側開口部に所定の間隔をもって対向して設けられ少なくとも前記外側開口部の開口を覆う防塵部材である
ことを特徴とするピックアップ装置。
【請求項１０】
請求項８に記載のピックアップ装置において、
前記防塵手段は、前記外側開口部から第１の間隔を有し前記外側開口部の開口の一部を覆う第１防塵部材と、前記外側開口部から前記第１の間隔とは異なる第２の間隔を有し少なくとも前記外側開口部の前記第１防塵部材で覆われた一部を除く残余部分を覆う第２防塵部材とを備えて構成されている
ことを特徴とするピックアップ装置。
【請求項１１】
請求項８に記載のピックアップ装置において、
前記防塵手段は、前記放熱路に設けられたフィルタである
ことを特徴とするピックアップ装置。
【請求項１２】
請求項２ないし１１のいずれかに記載のピックアップ装置において、
前記放熱路は、前記連通孔の外側に開口する外側開口部と前記連通孔の内側に開口する内側開口部との間に前記外側開口部に対向した内壁面を有して屈曲している
ことを特徴とするピックアップ装置。
【請求項１３】
請求項２ないし７のいずれかに記載のピックアップ装置において、
前記放熱路は、その内部に伝熱剤を充填している
ことを特徴とするピックアップ装置。
【発明の詳細な説明】
【０００１】
【発明の属する技術分野】
本発明は、ピックアップ装置に関する。例えば、光学記録媒体に対して情報の書き込みまたは読み出しを行うピックアップ装置に関する。
【０００２】
【従来技術】
光学記録媒体、例えばＤＶＤ（Ｄｉｇｉｔａｌ　Ｖｅｒｓａｔｉｌｅ　Ｄｉｓｋ）やＣＤ（Ｃｏｍｐａｃｔ　Ｄｉｓｃ）などの光ディスクに対して情報の書き込みまたは読み取りを行うピックアップ装置が知られている。
このピックアップ装置は、光ディスクに光束を照射する光源体としてのレーザー光源体と、レーザー光源体から光ディスクへ向かう光学経路の途中に設けられた光学素子としてのグレーティングと、レーザー光源体とグレーティングとが配設された筐体としてのピックアップベースとを備えて構成されている。
ピックアップベースには、一方にレーザー光源体を取付ける光源体取付部を有し他方にグレーティング等の光学素子を取付ける光学素子取付部を有する連通孔が設けられている。レーザー光源体は光源体取付部に取付けられ、グレーティングは光学素子取付部に取付けられ、レーザー光源体とグレーティングとは互いに同軸状態で配置される。
【０００３】
ここで、ピックアップベースには、レーザー光源体から発射されたレーザー光を光ディスクに向かって反射させるビームスプリッタや、レーザー光を集光するレンズや、光ディスクからの反射光を検出する光検出器等の光学素子が配設されている。
また、グレーティングの役割としては、レーザー光源体からのレーザー光束を回折してメインビームと２つのサブビームとに分割することなどが例示される。グレーティングで分割されたサブビームは、光ディスクの情報トラックに所定の角度で照射され、この反射光がピックアップ装置の光検出器で検出され、光検出器からの検出信号に基づいてメインビームのトラッキング調整等が行われる。
【０００４】
【発明が解決しようとする課題】
レーザー光源体は、レーザー光を発射するに際して熱を発生する。連通孔の一方にレーザー光源体が配置され、連通孔の他方にグレーティングが配置されると、レーザー光源体から発せられる熱が連通孔内にこもりやすく、レーザー光源体の温度が上昇する。レーザー光源体の温度が上昇すると、レーザー光源体の特性劣化や短寿命化を招来するという問題が生じる。
ここで、レーザー光源体の熱を放熱するために、ピックアップベースを伝熱性の良い金属材料で形成したり、レーザー光源体に放熱板を設けたりすることも考えられる。しかしながら、近年、コスト削減化の要請からピックアップベースは合成樹脂で形成される。また、ＤＶＤやＣＤで共用できるレーザー光源体や光ディスクに情報を書き込むレーザー光源体が利用されるようになっており、このようなレーザー光源体の発熱量が大きくなってきている。このような発熱量が大きいレーザー光源体に対しては放熱板だけでは放熱量が十分ではない。
【０００５】
本発明の目的は、斯かる実情に鑑み、光源体の温度上昇を防止することができ、かつ、製造コストが低いピックアップ装置を提供することにある。
【０００６】
【課題を解決するための手段】
請求項１に記載のピックアップ装置は、光学記録媒体に光束を照射する光源体と、前記光源体から前記光学記録媒体へ向かう光学経路の途中に設けられた光学素子と、一方に前記光源体が配置され他方に前記光学素子が配置され前記光源体と前記光学素子とを連通する連通孔を有する筐体とを備えたピックアップ装置において、前記連通孔は、前記光源体と前記光学素子との間の熱を外部に放熱する放熱手段を備えていることを特徴とする。
【０００７】
【発明の実施の形態】
以下、本発明の実施の形態を図示例と共に説明する。
（第１実施形態）
図１は、本発明の第１実施形態のピックアップ装置を有しＤＶＤやＣＤ等の光ディスクに記録された情報を再生したりあるいは光ディスクに情報を記録したりするディスク装置の分解斜視図である。
このディスク装置１は、外ケース２１と、外ケース２１の内部に設置された内ケース２５と、内ケース２５に対して進退可能に設けられ光学記録媒体としての光ディスク４１が載置されるディスクトレイ２９と、内ケース２５に設けられ光ディスク４１に対して情報の再生または記録を行う本体部３２と、本体部３２の動作を制御する電子部品を有する回路基板４０とを備えて構成されている。
【０００８】
外ケース２１は、図１中において下面および前面が開口した上ケース２２と、上ケース２２の下面を閉塞する下ケース２３と、上ケース２２の前面を閉塞する化粧板２４とを備えて構成され、全体としては扁平直方体形状である。
内ケース２５は、上面および前面が開口し、略中央に孔部２６１を有する底面２６とこの底面２６から立設された側面２７を有する。
ディスクトレイ２９は、略板状で上面には上方に向けて拡径する円形凹状で光ディスク４１が載置される載置凹部３０を有する。ディスクトレイ２９は、略中央部に略長方形状の開口部３１を有する。ディスクトレイ２９は、内ケース２５に設けられたトレイ駆動手段２８により進退される。
【０００９】
本体部３２は、中央に孔部３３１を有し内ケース２５に設置された台座部３３と、台座部３３に設けられ光ディスク４１を回転させる回転駆動手段３４と、台座部３３の孔部３３１を一縁から他縁に移動し光ディスク４１の下面側に設けられた記録部に対してレーザー光の照射および反射光の検出を行うピックアップ装置５と、ピックアップ装置５を移動させる移動手段３７とを備えて構成されている。
【００１０】
台座部３３は、平板枠状に形成されており、内ケース２５の孔部２６１に対して台座部３３の孔部３３１が重なるように設置されている。
回転駆動手段３４は、光ディスク４１を載せて回転するターンテーブル３５と、このターンテーブル３５を回転駆動させる動力源としてのスピンドルモータ（不図示）とを備えて構成されている。ターンテーブル３５は、光ディスク４１の中心孔４１１に嵌挿される回転軸３５１と、回転軸３５１の外周面にフランジ状に突設され光ディスク４１の軸孔周縁が載置される鍔部３５２を有している。光ディスク４１がディスクトレイ２９に載置され内ケース２５の内側に移動されてきた際には、光ディスク４１はターンテーブル３５上に載置され、また、光ディスク４１の上面は内ケース２５の側面２７に架橋された支持部材３６に回転自在に設けられた回転子３６１により押さえられる。光ディスク４１がターンテーブル３５と回転子３６１とにて挟持された状態でスピンドルモータの駆動力により回転される。
【００１１】
移動手段３７は、一対のガイドシャフト３８と、移動用モータ３９とを備えて構成されている。ガイドシャフト３８は、それぞれ台座部３３の孔部３３１の一縁から他縁に軸方向を有して配設されている。ピックアップ装置５に対してガイドシャフト３８が挿通または係合されている。移動用モータ３９の駆動力によりピックアップ装置５は台座部３３の一縁から他縁に移動される。
【００１２】
回路基板４０は、ピックアップ装置５の下方にピックアップ装置５から所定間隔を有して設けられている。回路基板４０は、移動用モータ３９やスピンドルモータの回転制御や、ピックアップ装置５の制御等を行う電子部品を有している。
【００１３】
図２に、ピックアップ装置５を示す。
ピックアップ装置５は、筐体としてのピックアップベース５１を有している。ピックアップベース５１は、合成樹脂などにより形成された概略厚板形状で、一縁側がターンテーブル３５の円形状にあわせて円弧状５２に形成されている。
ピックアップベース５１には、移動手段３７の一方のガイドシャフト３８が挿通される挿通孔５３が図２中の右辺側に設けられ、また、断面略Ｕ字状で他方のガイドシャフト３８をＵ字の内側に挟む係合部５４が左辺側に設けられている。
ピックアップベース５１は、レーザー光束を光ディスク４１に向かって発射するレーザー光束発射部５７を光ディスク４１に対向する一面側に有している。
【００１４】
ピックアップベース５１には、一方にレーザー光源体６１が取付けられ他方にグレーティング７１が取付けられる連通孔５５が設けられている。図３のピックアップベースの図２中ＩＩＩ−ＩＩＩ線断面図において連通孔５５の断面図を示す。
この連通孔５５は、一方側に光源体としてのレーザー光源体６１が取付けられるレーザー光源体取付部５５１を有し、他方側に光学素子としてのグレーティング７１が取付けられる光学素子取付部５５３を有する。
レーザー光源体取付部５５１は、連通孔５５の内部からピックアップベース５１の外部に向かって段差５５２をもって拡径されることにより形成されている。レーザー光源体取付部５５１には、レーザー光源体６１が、レーザー光束の発射面６４を連通孔５５の内部に向け、また、コネクタピン６２が設けられた基端面６５を連通孔５５からピックアップベース５１の外部に向けて取付けられている。
【００１５】
レーザー光源体６１は、コネクタピン６２が設けられた基端面６５から突設されたレーザー発射筒部６３を有し、レーザー発射筒部６３の先端面にレーザー発射面６４が設けられている。レーザー光源体６１は、ＤＶＤ再生用のレーザー光束を出力するＤＶＤ用レーザーチップと、ＣＤ再生用のレーザー光束を出力するＣＤ用レーザーチップとを備え、二つの異なる波長のレーザー光束を出力することができる。
【００１６】
光学素子取付部５５３は、連通孔５５の内部から段差５５４をもって縮径されることにより形成されている。光学素子取付部５５３には、光学素子であるグレーティング７１が、レーザー光源体６１のレーザー発射面６４から発射されるレーザー光束を垂直に受けるように取付けられている。
グレーティング７１は、レーザー光源体６１からのレーザー光束を回折する回折格子であり、レーザー光束を一本のメインビームと二本のサブビームに分割する。
連通孔５５の一方にレーザー光源体６１を取付け、連通孔５５の他方にグレーティング７１を取付けることにより、レーザー光源体６１とグレーティング７１とを、同軸配置でかつ安定させることができる。
【００１７】
連通孔５５は、レーザー光源体６１から発せられて連通孔５５内にこもる熱を外部に放熱する放熱手段として、連通孔５５の内部とピックアップベース５１の外部とを連通する孔状の放熱路８１を有している。
放熱路８１は、連通孔５５の軸に対して交差して設けられ、連通孔５５側に開口した内側開口部８３と、ピックアップベース５１の外側に開口した外側開口部８２とが直線的に連通されて形成された断面円形状の孔である。放熱路８１の軸方向はピックアップ装置５の通常使用時において鉛直上向きである。
外側開口部８２は光ディスク４１に向かって開口している。内側開口部８３は、レーザー発射筒部６３の側面に対向して開口している。
放熱路８１は、ピックアップベース５１を合成樹脂で射出成形する際に同時に孔状に成形される。
【００１８】
連通孔５５は、光学素子取付部５５３を介してピックアップベース５１の内部に形成されたレーザー光束通路５６に連通されており、レーザー光束通路５６はレーザー光束発射部５７に繋がっている。
レーザー光束通路５６には、レーザー光源体６１からのレーザー光束を直角にかつピックアップベース５１の一面に平行に反射するハーフミラー５６１と、ハーフミラー５６１からの反射光を直角にかつレーザー光束発射部５７に向けて反射する反射ミラー５６２などが設けられている。また、光ディスク４１からの反射光を検出する検出器（不図示）等も設けられている。
【００１９】
このような構成からなるディスク装置１において光ディスク４１の情報の読み取りについて説明する。
ディスクトレイ２９を外ケース２１および内ケース２５から外に引き出してディスクトレイ２９に光ディスク４１を載置し、光ディスク４１が載置されたディスクトレイ２９を内ケース２５の内部に収納する。すると、ターンテーブル３５と回転子３６１に光ディスク４１が挟持されて、ターンテーブル３５の回転により光ディスク４１が回転される。このとき、ピックアップ装置５からレーザー光束が光ディスク４１に向かって発射され、光ディスク４１からの反射光はピックアップ装置５で検出される。この反射光の検出により光ディスク４１から情報が読み出される。また、ピックアップ装置５は、移動手段３７による移動によって光ディスク４１の所定部分にレーザー光束を照射する。すると、光ディスク４１から所定の情報が順次読み出される。
【００２０】
次に、このような構成からなるピックアップ装置５において、レーザー光源体６１から発せられる熱の放熱について説明する。
レーザー光源体６１からレーザー光束が発射される際には、レーザー光源体６１が熱を発する。レーザー光源体６１から発生した熱は、レーザー光源体６１とグレーティング７１との間で連通孔５５内の空気に伝熱される。伝熱されて熱せられた空気は、放熱路８１から連通孔５５の外部に出ていく。このとき、放熱路８１が、ピックアップ装置５の通常使用時において上方を向いているので、伝熱されて熱せられた空気が上昇して外部に出て行きやすい。
【００２１】
また、放熱路８１を通ってピックアップベース５１の外部から冷たい空気が連通孔５５内に流入する。このとき、放熱路８１の外側開口部８２が光ディスク４１の回転面に向かって開口している。よって、光ディスク４１が回転する際に生じる気流が放熱路８１を通って連通孔５５内に流入しやすい。すると、レーザー光源体６１は、放熱路８１を通って流入する冷たい空気に触れることになる。レーザー光源体６１で発せられる熱が空気に伝熱されることにより、レーザー光源体６１の温度上昇が抑えられる。
【００２２】
以上、このような構成からなるピックアップ装置５によれば、次の効果を奏することができる。
（１）光ディスク４１にレーザー光束を照射するレーザー光源体６１と、レーザー光源体６１から光ディスク４１へ向かう光学経路の途中に設けられたグレーティング７１と、一方にレーザー光源体６１が配置され他方にグレーティング７１が配置されレーザー光源体６１とグレーティング７１とを連通する連通孔５５を有するピックアップベース５１とを備え、連通孔５５は、レーザー光源体６１とグレーティング７１との間の熱を外部に放熱する放熱手段を備えている。
【００２３】
このような構成によれば、レーザー光源体６１から発せられた熱が連通孔５５内から放熱手段によって放熱される。すると、レーザー光源体６１の温度上昇を抑えることができる。レーザー光源体６１の温度上昇が抑えられることにより、温度上昇による特性劣化や短寿命化などを防止できる。
レーザー光源体６１で発せられる熱を放熱手段により放熱できるので、レーザー光源体６１を発熱量が大きなものにすることができる。レーザー光源体６１を発熱量が大きいＤＶＤ用とＣＤ用との２波長のレーザー光束を発射できるものとすることもできる。レーザー光源体６１から二波長のレーザー光束を発射することができれば、ＤＶＤ用とＣＤ用で別個に二つのレーザー光源体６１を設ける必要がないので、ピックアップ装置５自体を小型化することができる。
また、放熱手段によりレーザー光源体６１の熱を放熱することができるので、ピックアップベース５１を金属性にしてピックアップベース５１から放熱させる必要がない。そこで、ピックアップベース５１を合成樹脂により形成することができる。ピックアップベース５１を合成樹脂で形成することができれば、材料費を抑えることで低コスト化を図ることができる。
【００２４】
（２）放熱手段は、連通孔５５の軸に交差して形成され連通孔５５の内部と連通孔５５の外部とを連通する孔状の放熱路８１である。
このような構成によれば、レーザー光源体６１から発せられた熱は空気に伝熱され、伝熱された空気が放熱路８１から外部に出て行く。すると、連通孔５５内の熱が外部に放熱される。また、外部の冷たい空気が放熱路８１を通って連通孔５５内に流入する。すると、レーザー光源体６１は、常に冷たい空気と接することができる。すると、レーザー光源体６１の熱が効率よく空気に伝熱される。このように、レーザー光源体６１が冷たい空気と常に触れてレーザー光源体６１の熱が空気に伝熱され、伝熱された空気が放熱路８１を通って外部に出て行くので、レーザー光源体６１の温度上昇が抑えられる。レーザー光源体６１の温度上昇が抑えられることにより、温度上昇による特性劣化や短寿命化などを防止できる。
【００２５】
（３）放熱路８１は、光ディスク４１の回転面に向かって開口している。
このような構成によれば、光ディスク４１の回転によって起こる気流が放熱路８１を通って連通孔５５内に流入しやすい。すると、レーザー光源体６１が常に冷たい空気と接することができるので、レーザー光源体６１の熱が効率よく空気に伝熱される。よって、レーザー光源体６１の熱が効率よく放熱され、レーザー光源体６１の温度上昇が抑えられる。また、連通孔５５内に風を送るために別個の送風手段などを設ける必要がないので、小型化、低コスト化を図ることができる。
【００２６】
（４）放熱路８１は、連通孔５５の外部に向かって開口する外側開口部８２がピックアップ装置５の通常使用時において上方に向かって開口している。
このような構成によれば、連通孔５５内でレーザー光源体６１の熱が伝熱されて熱せられた空気が、上方の外側開口部８２から外部に出て行きやすい。特に、放熱路８１の軸が鉛直上向きであるので熱せられた空気が放熱路を通って外部に出て行きやすい。よって、レーザー光源体６１から発せられた連通孔５５内の熱を効率よく外部に放熱することができる。なお、放熱路８１の軸が鉛直上向きでなく、放熱路８１が曲がっていたりしてもよいが、放熱路８１の出口である外側開口部８２は上方に向かって開口していることが望ましい。
【００２７】
（５）連通孔５５の一方にレーザー光源体６１を取付け、連通孔５５の他方にグレーティング７１を取付けることにより、レーザー光源体６１とグレーティング７１とを同軸でかつ安定に取付けることができる。連通孔５５を設けることにより、レーザー光源体６１とグレーティング７１との間の連通孔５５内にレーザー光源体６１からの熱がこもる可能性があるが、連通孔５５には放熱路８１が設けられているので、レーザー光源体６１からの熱を放熱することができる。すなわち、レーザー光源体６１とグレーティング７１とを同軸かつ安定に取付けられるとともに、レーザー光源体６１の温度上昇も抑えることができる。
【００２８】
（６）放熱路８１の内側開口部８３は、レーザー光源体６１のレーザー発射筒部６３の側面に対向して形成されている。レーザー光源体６１のうち最も発熱量が大きいのはレーザー発射筒部６３の部分である。よって、内側開口部８３がレーザー発射筒部６３に対向していれば、伝熱されて熱せられた空気が内側開口部８３から即座に外部に向かって出ていきやすい。
【００２９】
（７）放熱手段として孔状の放熱路８１を設けるだけであり、ピックアップベース５１を射出成形する際に同時に形成される。よって、簡便でありコストにも影響しない。
【００３０】
（第２実施形態）
本発明の第２実施形態を図４に示す。第２実施形態の基本的構成は第１実施形態と同様であるが、第２実施形態が第１実施形態と異なる点は、放熱手段としての放熱路８１が、連通孔５５を挟んで同軸に二つ設けられている点である。
すなわち、放熱路８１として、連通孔５５の上側壁面を貫通して設けられた第１放熱路８１１と、連通孔５５の下側壁面を貫通して設けられた第２放熱路８１２とが設けられている。第１放熱路８１１と第２放熱路８１２とは、互いの中心軸が略同一直線上である。
【００３１】
このような構成によれば、前記第１実施形態の効果（１）ないし（７）に加えて、次の効果を奏することができる。
（８）放熱路８１は、互いの中心軸が略同一直線上である組を少なくとも１以上含んでいる。
このような構成によれば、第１放熱路８１１と第２放熱路８１２とを空気が通り抜けやすい。すると、連通孔５５内に外部の空気が次々に流入されるとともに、レーザー光源体６１の熱により熱された空気が外部に出て行きやすい。例えば、レーザー光源体６１の熱で熱された空気が第１放熱路８１１を通って外部に出て行くと同時に、第２放熱路８１２から外部の冷たい空気が流入されやすい。また、光ディスク４１の回転により生じた気流が第１放熱路８１１から連通孔５５内を通り抜けて第２放熱路８１２から出て行きやすい。このように、第１放熱路８１１と第２放熱路８１２とにより、空気の入口と出口ができるので、空気の流れが生じやすくなる。すると、レーザー光源体６１から発せられた連通孔５５内の熱を効率よく外部に放熱することができる。その結果、レーザー光源体６１の温度上昇を抑えることができる。
なお、放熱路８１は、二つに限らず、複数設けられていてもよいことはもちろんである。
【００３２】
（第３実施形態）
本発明の第３実施形態を図５に示す。第３実施形態の基本的構成は第１実施形態と同様であるが、第３実施形態が第１実施形態と異なる点は、放熱手段としての放熱路８１には、気流受け部材８４が設けられている点である。
すなわち、放熱路８１の外側開口部８２の縁には、光ディスク４１の回転によって生じる気流に対向する壁面を有する気流受け部材８４が設けられている。
気流に対向する壁面は、平面で、放熱路８１の軸に対して平行である。
気流受け部材８４は、ピックアップベース５１から一体的に立設されて形成されている。
【００３３】
このような構成によれば、前記各実施形態の効果（１）ないし（７）に加えて、次の効果を奏することができる。
（９）放熱路８１の光ディスク４１の回転面に向かって開口する外側開口部８２の縁には、光ディスク４１の回転によって生じる気流に対向する壁面を有する気流受け部材８４が設けられている。
【００３４】
このような構成によれば、光ディスク４１の回転によって生じた気流が気流受け部材８４に当たり、放熱路８１から連通孔５５内に流入しやすい。すると、外部の冷たい空気が連通孔５５内に流入するので、レーザー光源体６１の熱が空気に効率よく伝熱される。よって、レーザー光源体６１の温度上昇を抑えることができる。
なお、気流受け部材８４の気流を受ける壁面は、放熱路８１側を内側にするように円弧状に湾曲していてもよい。あるいは、気流受け部材８４は、放熱路８１側に斜めに傾倒していてもよい。このような構成によれば、受けた気流を放熱路８１内に導きやすい。
【００３５】
（第４実施形態）
本発明の第４実施形態を図６に示す。この第４実施形態の基本的構成は、第１実施形態と同様であるが、第４実施形態が第１実施形態と異なる点は、防塵手段としての防塵部材８５を備えている点である。
防塵部材８５は、外側開口部８２に所定の間隔をもって対向して設けられ外側開口部８２の開口を覆う面積を有する防塵屋根８５１と、光ディスク４１の回転によって生じる気流を受ける気流受け面８５２とを備えている。
防塵部材８５は、ピックアップベース５１と一体形成されてもよく、あるいは、第１実施形態のピックアップベース５１に防塵部材８５を別体として設けてもよい。
【００３６】
このような構成によれば、前記各実施形態の効果（１）から（７）、（９）に加えて、次の効果を奏することができる。
（１０）放熱路８１は、外部からこの放熱路８１を通って連通孔５５内に塵埃が流入することを防ぐ防塵手段を備えている。
このような構成によれば、防塵手段により、放熱路８１を通って塵埃が連通孔５５内に流入することを防ぐことができる。連通孔５５内に塵埃が流入してレーザー光源体６１のレーザー発射面６４やグレーティング７１などに塵埃が付着すると、レーザー光束が塵埃で遮断されてしまう。レーザー光束が遮断されると、光ディスク４１の情報を読み出すことができない。
しかし、本実施形態によれば、防塵手段により連通孔５５内に塵埃が流入することを防ぐことができ、また、放熱路８１によってレーザー光源体６１からの熱を連通孔５５から放熱することができる。
【００３７】
（１１）防塵手段は、連通孔５５の外部に向かって開口する放熱路８１の外側開口部８２に所定の間隔をもって対向して設けられ少なくとも外側開口部８２の開口を覆う防塵部材８５である。
このような構成によれば、防塵部材８５によって放熱路８１に塵埃が流入することを防ぐことができる。防塵部材８５の防塵屋根８５１は、外側開口部８２から所定の間隔をもって設けられているので、この間隔を通って空気は放熱路８１を通って出入りすることができる。また、防塵部材８５の防塵屋根８５１は、外側開口部８２を覆うので、放熱路８１内に入ろうとする塵埃を遮断することができる。
【００３８】
（第５実施形態）
本発明の第５実施形態を図７に示す。第５実施形態の基本的構成は、第４実施形態と同様であるが、第５実施形態が第４実施形態と異なる点は、防塵手段が、第１防塵部材８６と第２防塵部材８７とを備えて構成されている点である。
第１防塵部材８６は、外側開口部８２から第１間隔Ｈ１を有して設けられた第１防塵屋根８６１と、光ディスク４１の気流を受ける気流受け面８６２とを備えている。第２防塵部材８７は、外側開口部８２から第１間隔８６３より短い第２間隔Ｈ２を有して設けられた第２防塵屋根８７１を備えている。第２防塵屋根８７１は、外側開口部８２のうち第１防塵屋根８６１で覆われた部分を除く部分を覆う面積を有している。すなわち、第１防塵屋根８６１と第２防塵屋根８７１とで外側開口部８２のすべての部分が覆われる。なお、第１防塵屋根８６１と第２防塵屋根８７１はそれぞれ外側開口部８２の略半分ずつを覆うことが望ましい。
ここで、第１防塵部材８６は、光ディスク４１の回転によって生じる気流に対向し、受けた気流を放熱路８１に導くように設けられている。例えば、第１防塵部材８６は、外側開口部８２の周縁のうち光ディスク４１の回転中心から見て遠い側に設けられている。
【００３９】
このような構成によれば、前記各実施形態の効果（１）から（７）、（９）から（１１）に加えて、次の効果を奏することができる。
（１２）防塵手段は、外側開口部８２から第１間隔Ｈ１を有し外側開口部８２の開口の一部を覆う第１防塵部材８６と、外側開口部８２から第１間隔８６３より短い第２間隔Ｈ２を有し少なくとも外側開口部８２の第１防塵部材８６で覆われた一部を除く残余部分を覆う第２防塵部材８７とを備えて構成されている。
【００４０】
このような構成によれば、第１防塵部材８６と第２防塵部材８７とにより、放熱路８１を通って連通孔５５に塵埃が流入することを防ぐことができる。また、例えば、一枚の屋根で外側開口部８２を覆う場合（第４実施形態参照）には、放熱路８１から外部に向かう気流の流れが９０度屈曲することになるのに対し、本実施形態によれば、放熱路８１から外部に向かう気流がそれほど大きく曲がらない。すると、レーザー光源体６１の熱で熱された空気が放熱路８１から外部に出て行きやすい。また、逆に、外部からの空気が放熱路８１を通って連通孔５５内に流入しやすい。よって、連通孔５５に塵埃が流入することを防ぎ、かつ、レーザー光源体６１の熱を効率よく放熱することができる。
なお、第１防塵屋根８６１と第２防塵屋根８７１とが放熱路８１方向から見たときに重なっていてもよい。このような構成によれば、より確実に放熱路８１に侵入する塵埃を遮断することができる。
【００４１】
（第６実施形態）
本発明の第６実施形態を図８に示す。第６実施形態の基本的構成は、第１実施形態と同様であるが、第６実施形態が第１実施形態と異なる点は、放熱路８１が屈曲している点である。
放熱路８１は、外側開口部８２から連通孔５５に向かって形成された第１縦孔部８８１を有している。第１縦孔部８８１は、９０度に屈曲する第１屈曲部８８４を介して連通孔５５と略平行な水平部８８２に連通している。水平部８８２は、９０度に屈曲する第２屈曲部８８６を介して内側開口部８３に続く第２縦孔部８８３に連通している。水平部８８２は、第１屈曲部８８４で屈曲することにより、外側開口部８２に対して対向した内壁面８８５を有する。
【００４２】
このような構成によれば、前記各実施形態の効果（１）から（７）に加えて、次の効果を奏することができる。
（１３）放熱路８１は、外側開口部８２と内側開口部８３との間に外側開口部８２に対向した内壁面８８５を有して屈曲している。
このような構成によれば、レーザー光源体６１の熱によって熱された空気は放熱路８１を通って外部に出て行き、外部から放熱路８１を通って連通孔５５内に空気が流入される。また、外部から放熱路８１内に侵入した塵埃は、外側開口部８２に対向した内壁面８８５により止められて連通孔５５内に入らない。よって、レーザー光源体６１から発せられた連通孔５５内の熱を放熱でき、また、放熱路８１を通って連通孔５５内に塵埃が侵入することを防ぐことができる。
【００４３】
（第７実施形態）
本発明の第７実施形態を図９に示す。第７実施形態の基本的構成は、第１実施形態と同様であるが、第７実施形態が第１実施形態と異なる点は、防塵手段として、放熱路８１にフィルタ８９が設けられている点である。
フィルタ８９は、空気は通過させるが、塵埃は遮断する程度の網目を有するものであって、放熱路８１の外側開口部８２に設けられている。
【００４４】
このような構成によれば、前記各実施形態の効果（１）から（７）に加えて、次の効果を奏することができる。
（１４）防塵手段として、放熱路８１に設けられたフィルタ８９を備えている。このような構成によれば、放熱路８１を通して連通孔５５内と外部とで空気の出入りはあるとともに、放熱路８１を通って連通孔５５に塵埃が流入することをフィルタ８９によって防ぐことができる。外側開口部８２に屋根を設けるなどにより防塵する場合には、空気とともに連通孔５５内に塵埃が入ることを確実に防ぐことはできないが、本実施形態のようにフィルタ８９を設ければ、空気とともに塵埃が連通孔５５内に流入することを確実に防ぐことができる。
なお、フィルタ８９は放熱路８１に設けられるのであれば、配置位置は限定されるものではない。例えば、内側開口部８３に設けられていてもよい。
【００４５】
（第８実施形態）
本発明の第８実施形態を図１０に示す。第８実施形態の基本的構成は、第１実施形態と同様であるが、第８実施形態が第１実施形態と異なる点は、防塵手段として、放熱路８１に伝熱剤９０が充填されている点である。
伝熱剤９０は、連通孔５５内の熱を吸熱して外部に放熱するものであり、ゲル状であって放熱路８１に充填されている。また、伝熱剤９０は、放熱路８１に充填されたあとは連通孔５５内に垂れていかない程度の粘性を有している。伝熱剤９０としては、例えば、熱伝導率が６．５（Ｗ／ｍＫ）程度のλゲル（登録商標）などが利用できる。
【００４６】
このような構成によれば、前記各実施形態の効果（１）から（７）に加えて、次の効果を奏することができる。
（１５）放熱路８１は、その内部に伝熱剤９０を充填している。
このような構成によれば、レーザー光源体６１の熱による連通孔５５内の熱が伝熱剤９０に吸熱されて、外部に放熱される。よって、レーザー光源体６１の温度上昇を防止することができる。本実施形態においては、放熱路８１を通って空気の出入りが無いので、放熱路８１を通って連通孔５５内に塵埃が侵入することがない。また、熱伝導率の高い伝熱剤９０を利用すれば、レーザー光源体６１の熱を効率よく放熱することができる。
【００４７】
尚、本発明のピックアップ装置は、上記実施形態にのみ限定されるものではなく、本発明の要旨を逸脱しない範囲内において種々変更を加え得ることは勿論である。
例えば、放熱路の外側開口部８２が、ピックアップ装置５の通常使用時において下方に向かって開口していてもよい。このような構成によれば、外側開口部８２が下方を向くことにより、放熱路８１に塵埃が侵入しにくい構成とすることができる。
【００４８】
上記実施形態においては、光学素子としてグレーティング７１が設けられているが、連通孔５５を挟んでレーザー光源体６１からのレーザーを受ける光学素子であれば特に限定されるものではない。例えば、波長板やレンズなどでもよい。
放熱路８１の断面形状は、もちろん任意であり、円形、三角、四角など特に限定されるものではない。放熱路８１の断面が、内側開口部８３から外側開口部８２に向かうに従って縮径したり、逆に拡径するなどでもよい。
【００４９】
上記実施形態をさまざまに組み合わせてもよいことはもちろんである。例えば、第３実施形態のように気流受け部材８４を設けて、さらに第７実施形態のようにフィルタ８９を設けてもよい。さらに、この際、第２実施形態のように放熱路を二つ設けてもよい。あるいは、伝熱剤が充填された放熱路が複数設けられもよく、防塵屋根を有する放熱路を複数設けてもよい。
【図面の簡単な説明】
【図１】本発明の第１実施形態のピックアップ装置を有するディスク装置の分解斜視図である。
【図２】前記第１実施形態において、ピックアップ装置の内部を透視した斜視図である。
【図３】前記第１実施形態において、図２中のＩＩＩ−ＩＩＩ線でピックアップ装置を断面した図である。
【図４】本発明の第２実施形態を示すもので図３に対応する図である。
【図５】本発明の第３実施形態を示すもので図３に対応する図である。
【図６】本発明の第４実施形態を示すもので図３に対応する図である。
【図７】本発明の第５実施形態を示すもので図３に対応する図である。
【図８】本発明の第６実施形態を示すもので図３に対応する図である。
【図９】本発明の第７実施形態を示すもので図３に対応する図である。
【図１０】本発明の第８実施形態を示すもので図３に対応する図である。
【符号の説明】
１　　　ディスク装置
５　　　ピックアップ装置
４１　　光ディスク（光学記録媒体）
５１　　ピックアップベース（筐体）
５５　　連通孔
６１　　レーザー光源体（光源体）
７１　　グレーティング（光学素子）
８１　　放熱路（放熱手段）
８２　　外側開口部
８３　　内側開口部
８４　　気流受け部材
８５　　防塵部材
８６　　第１防塵部材
８７　　第２防塵部材
８９　　フィルタ
９０　　伝熱剤
８１１　第１放熱路
８１２　第２放熱路
８５１　防塵屋根
８６１　第１防塵屋根
８６３　第１間隔
８７１　第２防塵屋根
８７２　第２間隔
８８５　内壁面
【図１】
2004133963.tif 000003
【図２】
2004133963.tif 000004
【図３】
2004133963.tif 000005
【図４】
2004133963.tif 000006
【図５】
2004133963.tif 000007
【図６】
2004133963.tif 000008
【図７】
2004133963.tif 000009
【図８】
2004133963.tif 000010
【図９】
2004133963.tif 000011
【図１０】
2004133963.tif 000012